(57)【要約】【課題】  音声コンテンツの収録時のチャンネル構成と異なる複数のチャンネル構成であっても、音声コンテンツの収録時における実際の音声に近付けた再生音声を生成する。【解決手段】  モノラル形式で収録された音声データについて、抽出部２１０が、楽曲情報に基づいて、楽器等の音声源ごとの音声成分を抽出する。引き続き、分配部２２０が、楽曲情報に基づいて、抽出部２１０により抽出された音声成分の音像を収録時に近付けるように、ＬチャンネルとＲチャンネルとに当該音声成分を分配する。そして、加算部２３０が、Ｌチャンネルに分配された信号を加算するとともに、Ｒチャンネルに分配された信号を加算する。こうして生成されたＬチャンネル処理データＰＣＤL及びＲチャンネル処理データＰＣＤRに基づく音声が、音出力ユニット１３０L，１３０Rから再生出力される。【選択図】  図６
2009171262.tif 000002
【特許請求の範囲】
【請求項１】
複数のスピーカから音場空間へ向けて音声を出力する音響装置であって、
前記スピーカの数とは異なる数のチャンネル構成で収録が行われた音声コンテンツについて、前記収録の時における複数の音声源のそれぞれの種類情報と位置情報とを反映した音声源情報に基づいて、前記収録時におけるチャンネル構成の信号から前記複数の音声源のそれぞれが発生したと推定される音声を抽出する抽出手段と；
前記音声源情報に基づいて、前記抽出結果のそれぞれについて、前記抽出結果のそれぞれが対応する音声源が前記収録の時に位置していたと推定される位置に音像を形成する比率で、前記複数のスピーカそれぞれに対応する信号チャンネルに分配する分配手段と；
前記信号チャンネルごとに、前記分配手段による分配結果を加算する加算手段と；
を備えることを特徴とする音響装置。
【請求項２】
前記収録の時のチャンネル構成は、１チャンネル構成である、ことを特徴とする請求項１に記載の音響装置。
【請求項３】
前記スピーカの数は、前記収録の時のチャンネル構成のチャンネル数よりも多い、ことを特徴とする請求項１又は２に記載の音響装置。
【請求項４】
前記音声コンテンツは、楽曲コンテンツであり、
前記音声源情報には、楽曲名情報、演奏者情報、演奏場所情報及び演奏楽器構成情報の少なくとも１つが含まれる、
ことを特徴とする請求項１〜３のいずれか一項に記載の音響装置。
【請求項５】
前記抽出手段は、前記複数の音声源のそれぞれが発生する帯域の信号成分を抽出する、ことを特徴とする請求項１〜４のいずれか一項に記載の音響装置。
【請求項６】
前記分配手段は、前記複数のスピーカそれぞれに対応する位相補正を行った信号を前記加算手段に供給する、ことを特徴とする請求項１〜５のいずれか一項に記載の音響装置。
【請求項７】
移動体に搭載される、ことを特徴とする請求項１〜６のいずれか一項に記載の音響装置。
【請求項８】
複数のスピーカから音場空間へ向けて音声を出力する音響装置において使用される音像再生方法であって、
前記スピーカの数とは異なる数のチャンネル構成で収録が行われた音声コンテンツについ、前記収録の時における複数の音声源のそれぞれの種類情報と位置情報とを反映した音声源情報に基づいて、前記収録の時におけるチャンネル構成の信号から前記複数の音声源のそれぞれが発生したと推定される音声を抽出する抽出工程と；
前記音声源情報に基づいて、前記抽出結果のそれぞれについて、前記抽出結果のそれぞれが対応する音声源が前記収録の時に位置していたと推定される位置に音像を形成する比率で、前記複数のスピーカそれぞれに対応する信号チャンネルに分配する分配工程と；
前記信号チャンネルごとに、前記分配工程における分配結果を加算する加算工程と；
を備えることを特徴とする音声再生方法。
【請求項９】
請求項８に記載の音声再生方法を演算手段に実行させる、ことを特徴とする音声再生プログラム。
【請求項１０】
請求項９に記載の音声再生プログラムが、演算手段により読み取り可能に記録されている、ことを特徴とする記録媒体。
【発明の詳細な説明】
【技術分野】
【０００１】
本発明は、音響装置、音声再生方法、音声再生プログラム、及び、当該音声再生プログラムが記録された記録媒体に関する。
【背景技術】
【０００２】
従来から、ＣＤ（Compact Disk）やＤＶＤ（Digital Versatile Disk）等の普及に伴って、複数のスピーカを有する２チャンネルステレオ方式やマルチチャンネルサラウンド方式の音響装置が普及している。これにより、家庭内空間や車両内空間においても、臨場感溢れる再生音声を楽しむことができるようになってきている。
【０００３】
ところで、現存する音声コンテンツは、モノラル方式をはじめとして、様々なチャンネル構成のものが存在する。このため、再生しようとする音声コンテンツのチャンネル構成が再生用の音響装置のチャンネル構成と一致しない場合が発生する。このため、例えば、再生しようとする音声コンテンツがモノラル方式で収録されたものである場合に、複数のスピーカを有する音響装置の性能を活用して臨場感溢れる音声再生を行うため、様々な技術が提案されている。
【０００４】
こうした技術として、モノラル方式で収録された音声コンテンツを２チャンネル（左（Ｌ）チャンネル及び右（Ｒ）チャンネル）ステレオ方式で再生するものがある（特許文献１参照：以下、「従来例」という）。この従来例の技術では、モノラル方式の音声信号を複数の周波数帯域に分割し、周波数帯域ごとに予め定められたＬチャンネル又はＲチャンネルに分配する。そして、チャンネルごとに、分配された信号を加算した信号を各スピーカに供給するようになっている。
【０００５】
【特許文献１】特表２０００−５０４５２６号公報
【発明の開示】
【発明が解決しようとする課題】
【０００６】
上述した従来例の技術では、音の広がり感を聴取者に与えることはできるが、その音の広がり感は、収録時における実際の音源の位置を反映したものとはいえない。このため、従来例の技術では、収録時における楽曲演奏等による音声とは異なる態様の音声を再生することになる場合が多かった。
【０００７】
このため、音声コンテンツがモノラル方式であったとしても、音声コンテンツの収録時における実際の音声に近付けたものを複数のスピーカにより再生することができる技術が待望されている。かかる要請に応えることが、本発明が解決すべき課題の一つとして挙げられる。
【０００８】
本発明は、上記の事情を鑑みてなされたものであり、音声コンテンツのチャンネル構成と異なる複数のチャンネル構成であっても、音声コンテンツの収録時における実際の音声に近付けた再生音声を生成することができる音響装置及び音声再生方法を提供することを目的とする。
【課題を解決するための手段】
【０００９】
請求項１に記載の発明は、複数のスピーカから音場空間へ向けて音声を出力する音響装置であって、前記スピーカの数とは異なる数のチャンネル構成で収録が行われた音声コンテンツについて、前記収録の時における複数の音声源のそれぞれの種類情報と位置情報とを反映した音声源情報に基づいて、前記収録の時におけるチャンネル構成の信号から前記複数の音声源のそれぞれが発生したと推定される音声を抽出する抽出手段と；前記音声源情報に基づいて、前記抽出結果のそれぞれについて、前記抽出結果のそれぞれが対応する音声源が前記収録の時に位置していたと推定される位置に音像を形成する比率で、前記複数のスピーカそれぞれに対応する信号チャンネルに分配する分配手段と；前記信号チャンネルごとに、前記分配手段による分配結果を加算する加算手段と；を備えることを特徴とする音響装置である。
【００１０】
請求項８に記載の発明は、複数のスピーカから音場空間へ向けて音声を出力する音響装置において使用される音像再生方法であって、前記スピーカの数とは異なる数のチャンネル構成で収録が行われた音声コンテンツについて、前記収録の時における複数の音声源のそれぞれの種類情報と位置情報とを反映した音声源情報に基づいて、前記収録の時におけるチャンネル構成の信号から前記複数の音声源のそれぞれが発生したと推定される音声を抽出する抽出工程と；前記音声源情報に基づいて、前記抽出結果のそれぞれについて、前記抽出結果のそれぞれが対応する音声源が前記収録の時に位置していたと推定される位置に音像を形成する比率で、前記複数のスピーカそれぞれに対応する信号チャンネルに分配する分配工程と；前記信号チャンネルごとに、前記分配工程における分配結果を加算する加算工程と；を備えることを特徴とする音声再生方法である。
【００１１】
請求項９に記載の発明は、請求項８に記載の音声再生方法を演算手段に実行させる、ことを特徴とする音声再生プログラムである。
【００１２】
請求項１０に記載の発明は、請求項９に記載の音声再生プログラムが、演算手段により読み取り可能に記録されている、ことを特徴とする記録媒体である。
【発明を実施するための最良の形態】
【００１３】
以下、本発明の一実施形態を、図１〜図１０を参照して説明する。なお、以下の説明及び図面においては、同一又は同等の要素については同一の符号を付し、重複する説明を省略する。
【００１４】
［構成］
図１には、一実施形態に係る音響装置１００の概略的な構成がブロック図にて示されている。なお、本実施形態の音響装置１００は、モノラル方式で収録された音声コンテンツを２チャンネルステレオ方式で再生する装置である。
【００１５】
この図１に示されるように、音響装置１００は、制御ユニット１１０と、記憶ユニット１２０とを備えている。
【００１６】
また、音響装置１００は、音出力ユニット１３０Lと、音出力ユニット１３０Rとを備えている。ここで、音出力ユニット１３０Lはレフトスピーカ１３１Lを有し、音出力ユニット１３０Rはライトスピーカ１３１Rを有している。
【００１７】
さらに、音響装置１００は、表示ユニット１５０と、操作入力ユニット１６０とを備えている。
【００１８】
なお、制御ユニット１１０以外の要素１２０，１３０L，１３０R，１５０，１６０は、制御ユニット１１０に接続されている。
【００１９】
制御ユニット１１０は、音響装置１００の全体を統括制御する。この制御ユニット１１０の詳細については、後述する。
【００２０】
上記の記憶ユニット１２０は、音声コンテンツ情報１２１、抽出参照情報１２２等の様々なデータを記憶する。ここで、音声コンテンツ情報１２１には、図２に示されるように、音声源情報としての楽曲情報１２６と、音声データ１２７とを含んでいる。
【００２１】
楽曲情報１２６には、楽曲名情報と、楽曲の演奏者を示す演奏者情報とが含まれる。また、楽曲情報１２６には、楽曲の演奏場所である演奏場所情報と、楽曲の演奏に使用された楽器の構成を示す演奏楽器情報とが含まれる。なお、楽曲情報１２６には、楽曲名情報、演奏者情報、演奏場所情報及び演奏楽器情報の全てが含まれていることが必須というわけではなく、演奏時における楽器種類や演奏位置等の推測の基礎となり得る情報として、少なくとも１つが含まれていればよい。
【００２２】
例えば、楽曲名情報として「弦楽四重奏」という情報が含まれていれば、当該楽曲名情報のみで、楽器構成や、楽器間の位置関係の推測の基礎となり得る情報といえる。また、演奏者情報として「弦楽四重奏団」という情報が含まれていれば、当該演奏者情報のみで、楽器構成や、楽器間の位置関係の推測の基礎となり得る情報といえる。
【００２３】
上記のような楽曲名情報又は演奏者情報に加えて、演奏場所情報として「〜ホール」との情報が含まれていれば、当該演奏場所情報は、楽器間の位置関係のより高い精度による推測の基礎となり得る。また、演奏楽器情報は、楽器構成の推測の基礎となり得る。
【００２４】
上記の音声データ１２７は、所定のチャンネル構成で収録された音に対応したデジタルデータである。なお、以下の説明においては、音声データ１２７はモノラル形式で収録されたデータであるものとする。
【００２５】
上記の抽出参照情報１２２には、図３に示されるように、上記の音声コンテンツ情報１２１に対応して定まる音声源情報＃１〜＃Ｎが含まれている。音声源情報＃１〜＃Ｎ−１のそれぞれには、楽曲情報１２６から推測される楽器構成における楽器等（バイオリン、コントラバス、ボーカル等）それぞれの周波数帯域、及び、各楽器等の推測位置に対応して定まる設定音像位置が含まれている。また、音声源情報＃Ｎには、観客のざわめきや残響音等の演奏音に対するノイズを抽出するためのノイズ判断レベル及び設定音像位置が含まれている。こうした抽出参照情報１２２は、音声コンテンツ情報１２１の入手時に、楽曲情報１２６により推測された演奏時における楽器種類や演奏位置等に基づいて、制御ユニット１１０により生成されるようになっている。
【００２６】
なお、上述のノイズ判断レベルは、実験、シミュレーション、経験等に基づいて定められる。
【００２７】
図１に戻り、記憶ユニット１２０からは、制御ユニット１１０からの制御信号ＤＶＣに従って、データが読み出される。ここで、上述した音声データ１２７は、コンテンツデータＣＴＤとして読み出され、抽出参照情報１２２は、抽出参照情報データＲＦＤとして読み出される。
【００２８】
なお、制御ユニット１１０は、制御信号ＤＶＣとしてデータ位置を指定した読出指令を発行することにより、音声データ１２７及び抽出参照情報１２２以外のデータも記憶ユニット１２０から読み出すことが可能となっている。また、制御ユニット１１０は、制御信号ＤＶＣとしてデータ位置を指定した書込指令を発行することにより、記憶ユニット１２０の任意の位置に所望の内容のデータを書き込むことが可能となっている。
【００２９】
上記の音出力ユニット１３０L，１３０Rのそれぞれは、上述したスピーカ１３１L，１３１Rの他に、制御ユニット１１０から受信した音声出力信号ＡＯＳL，ＡＯＳRを増幅する増幅器等を備えている。これらの音出力ユニット１３０L，１３０Rは、制御ユニット１１０から送られてきた音声出力信号ＡＯＳL，ＡＯＳRに従って、楽曲等の再生音声を出力する。
【００３０】
本実施形態では、図４に示されるように、音出力ユニット１３０Lのレフトスピーカ１３１Lは、助手席側の前方ドア筐体内に配置される。このレフトスピーカ１３１Lは、助手席側を向くように配設されている。また、音出力ユニット１３０Rのライトスピーカ１３１Rは、運転席側の前方ドア筐体内に配置される。このライトスピーカ１３１Rは、運転席側を向くように配設されている。
【００３１】
図１に戻り、上記の表示ユニット１５０は、例えば、（ｉ）液晶パネル、有機ＥＬ（Electro Luminescence）パネル、ＰＤＰ（Plasma Display Panel）等の表示デバイス１５１と、（ii）制御ユニット１１０から送出された表示制御データに基づいて、表示ユニット１５０全体の制御を行うグラフィックレンダラ等の表示コントローラと、（iii）表示画像データを記憶する表示画像メモリ等を備えて構成されている。この表示ユニット１５０は、制御ユニット１１０からの表示データＩＭＤに従って、操作ガイダンス情報等を表示する。
【００３２】
上記の操作入力ユニット１６０は、音響装置１００の本体部に設けられたキー部、及び／又はキー部を備えるリモート入力装置等により構成される。ここで、本体部に設けられたキー部としては、表示ユニット１５０の表示デバイス１５１に設けられたタッチパネルを用いることができる。なお、キー部を有する構成に代えて、又は併用して音声認識技術を利用して音声にて入力する構成を採用することもできる。
【００３３】
この操作入力ユニット１６０を利用者が操作することにより、音響装置１００において再生すべき音声コンテンツの指定等が行われる。こうした入力内容は、操作入力データＩＰＤとして、操作入力ユニット１６０から制御ユニット１１０へ向けて送られる。
【００３４】
次に、上記の制御ユニット１１０について説明する。上述したように、制御ユニット１１０は、音響装置１００の全体を統括制御する。この制御ユニット１１０は、図５に示されるように、チャンネル信号処理部１１１と、アナログ変換部１１２とを備えている。また、制御ユニット１１０は、音量調整部１１３と、制御処理部１１９とを備えている。
【００３５】
上記のチャンネル信号処理部１１１は、記憶ユニット１２０からのコンテンツデータＣＴＤを処理し、スピーカ１３１L，１３１Rに対応するチャンネル処理データＰＣＤL，ＰＣＤRを生成する。かかる機能を有するチャンネル信号処理部１１１は、図６に示されるように、抽出手段としての抽出部２１０と、分配手段としての分配部２２０と、加算手段としての加算部２３０とを備えている。
【００３６】
上記の抽出部２１０は、記憶ユニット１２０からのコンテンツデータＣＴＤを受ける。そして、抽出部２１０は、制御処理部１１９からの抽出制御信号ＥＸＣに従って、Ｎ個の音声源ごとの音声成分を抽出する。かかる機能を有する抽出部２１０は、図７に示されるように、バンドパスフィルタ（ＢＰＦ）２１１1〜２１１N-1と、ノイズゲート２１２とを備えている。
【００３７】
上記のＢＰＦ２１１j（ｊ＝１〜Ｎ−１）のそれぞれは、記憶ユニット１２０からコンテンツデータＣＴＤを受ける。そして、ＢＰＦ２１１jのそれぞれは、制御処理部１１９からの抽出制御信号ＥＸＣにおける抽出指令信号ＥＸＣjにより指定された通過帯域に属する周波数の信号成分を選択的に通過させる。こうしてＢＰＦ２１１jを通過した信号は、抽出信号ＥＸＤjとして、分配部２２０へ送られる。
【００３８】
上記のノイズゲート２１２は、記憶ユニット１２０からコンテンツデータＣＴＤを受ける。そして、ノイズゲート２１２は、制御処理部１１９からの抽出制御信号ＥＸＣにおける抽出指令信号ＥＸＣNにより指定されたノイズ判断レベル以下の音に対応する信号のみを通過させる。こうしてノイズゲート２１２を通過した信号は、抽出信号ＥＸＤNとして、分配部２２０へ送られる。
【００３９】
図６に戻り、上記の分配部２２０は、抽出部２１０からの抽出信号ＥＸＤk（ｋ＝１〜Ｎ）を受ける。そして、分配部２２０は、制御処理部１１９からの分配制御信号ＤＳＣに従って、抽出信号ＥＸＤkのそれぞれからＬチャンネル分配信号ＤＣＬkとＲチャンネル分配信号ＤＣＲkとを生成する。かかる機能を有する分配部２２０は、図８に示されるように、個別分配部２２１1〜２２１Nを備えている。
【００４０】
個別分配部２２１kは、抽出部２１０からの抽出信号ＥＸＤkを受ける。そして、個別分配部２２１kは、制御処理部１１９からの分配制御信号ＤＳＣにおける分配指令信号ＤＳＣkに従って、Ｌチャンネル分配信号ＤＣＬkとＲチャンネル分配信号ＤＣＲkとを生成する。かかる機能を有する個別分配部２２１kは、図９に示されるように、オールパスフィルタ（ＡＰＦ）２２６Ｌ，２２６Ｒと、可変減衰部２２７Ｌ，２２７Ｒとを備えている。
【００４１】
上記のＡＰＦ２２６Ｌは、抽出部２１０からの抽出信号ＥＸＤkを受ける。そして、ＡＰＦ２２６Ｌは、全ての周波数範囲の信号を通過させつつ、Ｌチャンネル用の位相変化を付与する。こうしてＡＰＦ２２６Ｌにより処理されて生成された信号は、Ｌチャンネル位相加工信号ＰＡＬkとして可変減衰部２２７Ｌへ送られる。
【００４２】
上記のＡＰＦ２２６Ｒは、抽出部２１０からの抽出信号ＥＸＤkを受ける。そして、ＡＰＦ２２６Ｒは、全ての周波数範囲の信号を通過させつつ、Ｒチャンネル用の位相変化を付与する。こうしてＡＰＦ２２６Ｒにより処理されて生成された信号は、Ｒチャンネル位相加工信号ＰＡＲkとして可変減衰部２２７Ｒへ送られる。
【００４３】
上記の可変減衰部２２７Ｌは、ＡＰＦ２２６ＬからのＬチャンネル位相加工信号ＰＡＬkを入力端子Ｉで受ける。また、可変減衰部２２７Ｌは、制御処理部１１９からの分配指令信号ＤＳＣkにおけるＬチャンネル分配率指定信号ＤＳＣkLを制御端子Ｃで受ける。そして、可変減衰部２２７Ｌは、Ｌチャンネル分配率指定信号ＤＳＣkLにより指定された分配率をＬチャンネル位相加工信号ＰＡＬkに乗じる。この乗算結果は、可変減衰部２２７Ｌの出力端子Ｏから、Ｌチャンネル分配信号ＤＣＬkとして加算部２３０へ向けて出力される。
【００４４】
上記の可変減衰部２２７Ｒは、ＡＰＦ２２６ＲからのＲチャンネル位相加工信号ＰＡＲkを入力端子Ｉで受ける。また、可変減衰部２２７Ｒは、制御処理部１１９からの分配指令信号ＤＳＣkにおけるＲチャンネル分配率指定信号ＤＳＣkRを制御端子Ｃで受ける。そして、可変減衰部２２７Ｒは、Ｒチャンネル分配率指定信号ＤＳＣkRにより指定された分配率をＲチャンネル位相加工信号ＰＡＲkに乗じる。この乗算結果は、可変減衰部２２７Ｒの出力端子Ｏから、Ｒチャンネル分配信号ＤＣＲkとして加算部２３０へ向けて出力される。
【００４５】
図６に戻り、上記の加算部２３０は、分配部２２０からのＬチャンネル分配信号ＤＣＬ1〜ＤＣＬN及びＲチャンネル分配信号ＤＣＲ1〜ＤＣＲNを受ける。そして、加算部２３０は、Ｌチャンネル分配信号ＤＣＬ1〜ＤＣＬNに基づいて、Ｌチャンネル処理データＰＣＤLを生成するとともに、Ｒチャンネル分配信号ＤＣＲ1〜ＤＣＲNに基づいて、Ｒチャンネル処理データＰＣＤRを生成する。かかる機能を有する加算部２３０は、Ｌチャンネル加算部２３１Ｌと、Ｒチャンネル加算部２３１Ｒとを備えている。
【００４６】
上記のＬチャンネル加算部２３１Ｌは、分配部２２０からのＬチャンネル分配信号ＤＣＬ1〜ＤＣＬNを受ける。そして、Ｌチャンネル加算部２３１Ｌは、Ｌチャンネル分配信号ＤＣＬ1〜ＤＣＬNを加算する。この加算結果が、Ｌチャンネル処理データＰＣＤLとして、アナログ変換部１１２へ向けて出力される。
【００４７】
上記のＲチャンネル加算部２３１Ｒは、分配部２２０からのＲチャンネル分配信号ＤＣＲ1〜ＤＣＲNを受ける。そして、Ｒチャンネル加算部２３１Ｒは、Ｒチャンネル分配信号ＤＣＲ1〜ＤＣＲNを加算する。この加算結果が、Ｒチャンネル処理データＰＣＤRとして、アナログ変換部１１２へ向けて出力される。
【００４８】
図５に戻り、上記のアナログ変換部１１２は、チャンネル信号処理部１１１から送られてきたデジタル信号であるＬチャンネル処理データＰＣＤL及びＲチャンネル処理データＰＣＤRを、それぞれアナログ信号に変換する。このアナログ変換部１１２は、当該２種のデジタル信号に対応して、互いに同様に構成された２個のＤＡ（Digital to Analogue）変換器を備えている。このアナログ変換部１１２による変換結果であるアナログ信号ＰＢＳL，ＰＢＳRは、音量調整部１１３へ向けて送られる。
【００４９】
上記の音量調整部１１３は、アナログ変換部１１２からのアナログ信号ＰＢＳL，ＰＢＳRを受ける。そして、音量調整部１１３は、アナログ信号ＰＢＳL，ＰＢＳRのそれぞれに対して、制御処理部１１９からの音量調整指令ＶＬＣに従って、音量を調整する。かかる調整結果は、音声出力信号ＡＯＳL，ＡＯＳRとして、音出力ユニット１３０L，１３０Rへ向けて出力される。
【００５０】
次に、上記の制御処理部１１９について説明する。この制御処理部１１９は、上述した他の構成要素を制御しつつ、音響装置１００の機能を発揮させる。この制御処理部１１９は、音声コンテンツ情報１２１が入手され、記憶ユニット１２０に格納されると、音声コンテンツ情報１２１における楽曲情報１２６の内容を上述したように利用して、抽出参照情報１２２を生成する。制御処理部１１９は、こうして生成された抽出参照情報１２２を記憶ユニット１２０に格納する。
【００５１】
また、制御処理部１１９は、利用者が再生すべき音声コンテンツの指定を支援するための案内画面を表示ユニット１５０に表示させる。そして、操作入力ユニット１６０から音声コンテンツを指定した再生指令が入力されると、制御処理部１１９は、記憶ユニット１２０からの再生コンテンツのデータ読み出しを制御する。
【００５２】
また、制御処理部１１９は、操作入力ユニット１６０から音声コンテンツを指定した再生指令が入力されると、記憶ユニット１２０から抽出参照情報１２２を、抽出参照情報データＲＦＤとして読み出す。引き続き、制御処理部１１９は、読み出された抽出参照情報１２２に基づいて、抽出制御信号ＥＸＣ及び分配制御信号ＤＳＣを生成する。そして、制御処理部１１９は、生成された抽出制御信号ＥＸＣ及び分配制御信号ＤＳＣを、チャンネル信号処理部１１１へ向けて送る。
【００５３】
ここで、制御処理部１１９は、抽出参照情報１２２の音声源情報＃１〜＃（Ｎ−１）における周波数帯域及び音声源情報＃Ｎのノイズ判断レベルに基づいて、抽出制御信号ＥＸＣを生成する。また、制御処理部１１９は、抽出参照情報１２２の音声源情報＃１〜＃Ｎの設定音像位置に基づいて、分配制御信号ＤＳＣを生成する。
【００５４】
また、制御処理部１１９は、音量調整部１１３を制御して、音出力ユニット１３０L，１３０Rのスピーカ１３１L，１３１Rからの出力音量を調整する。この出力音量の制御に際して、制御処理部１１９は、操作入力ユニット１６０に入力された音量指定に従って音量調整指令ＶＬＣを生成し、音量調整部１１３へ向けて送る。
【００５５】
［動作］
次に、上記のように構成された音響装置１００の動作について、音像位置の設定処理に主に着目して説明する。なお、記憶ユニット１２０には、モノラル形式で収録された音声データ１２７を含む音声コンテンツ情報１２１及び抽出参照情報１２２は、既に記憶されているものとする。
【００５６】
利用者が、操作入力ユニット１６０に音声データ１２７を指定した再生指令を入力すると、その旨が、操作入力データＩＰＤとして、制御処理部１１９へ送られる（図５参照）。この再生指令を受けると、制御処理部１１９は、まず、記憶ユニット１２０から抽出参照情報１２２を、抽出参照情報データＲＦＤとして読み出す。
【００５７】
次に、制御処理部１１９は、読み出された抽出参照情報１２２の音声源情報＃１〜＃（Ｎ−１）における周波数帯域を指定する抽出指令信号ＥＸＣ1〜ＥＸＣN-1を生成するとともに、抽出参照情報１２２の音声源情報＃Ｎにおけるノイズ判断レベルを指定する抽出指令信号ＥＸＣNを生成する。引き続き、制御処理部１１９は、こうして生成された抽出指令信号ＥＸＣ1〜ＥＸＣN、すなわち、抽出制御信号ＥＸＣを、チャンネル信号処理部１１１の抽出部２１０へ送る（図６参照）。
【００５８】
抽出部２１０では、抽出制御信号ＥＸＣにおける抽出指令信号ＥＸＣj（ｊ＝１〜Ｎ−１）で指定された周波数帯域がＢＰＦ２１１jの通過帯域として設定される。また、抽出部２１０では、抽出制御信号ＥＸＣにおける抽出指令信号ＥＸＣNで指令されたノイズ判断レベルが、ノイズゲート２１２のノイズ判断レベルとして設定される（図７参照）。
【００５９】
次いで、制御処理部１１９は、読み出された抽出参照情報１２２の音声源情報＃１〜＃Ｎにおける設定音像位置に基づいて、当該設定音像位置に音像を形成するためのＬチャンネル分配率とＲチャンネル分配率とを指定するＬチャンネル分配率指定信号ＤＳＣ1L〜ＤＳＣNL及びＲチャンネル分配率指定信号ＤＳＣ1R〜ＤＳＣNRを生成する。引き続き、制御処理部１１９は、こうして生成されたＬチャンネル分配率指定信号ＤＳＣ1L〜ＤＳＣNL及びＲチャンネル分配率指定信号ＤＳＣ1R〜ＤＳＣNR、すなわち、分配制御信号ＤＳＣを、チャンネル信号処理部１１１の分配部２２０へ送る（図６参照）。
【００６０】
分配部２２０では、分配制御信号ＤＳＣにおけるＬチャンネル分配率指定信号ＤＳＣkL（ｋ＝１〜Ｎ）で指定されたＬチャンネル分配率が個別分配部２２１kの可変減衰部２２７Ｌの減衰率として設定される。また、分配部２２０では、分配制御信号ＤＳＣにおけるＲチャンネル分配率指定信号ＤＳＣkRで指定されたＲチャンネル分配率が個別分配部２２１kの可変減衰部２２７Ｒの減衰率として設定される（図９参照）。
【００６１】
以上のようにしてチャンネル信号処理部１１１に対する設定を終了すると、制御処理部１１９は、記憶ユニット１２０内の音声コンテンツ情報１２１における音声データ１２７をコンテンツデータＣＴＤとして読み出す制御を開始する。かかる制御のもとで記憶ユニット１２０から読み出されたコンテンツデータＣＴＤは、チャンネル信号処理部１１１の抽出部２１０へ送られる（図６参照）。コンテンツデータＣＴＤを受けた抽出部２１０では、ＢＰＦ２１１j（ｊ＝１〜Ｎ−１）のそれぞれが、コンテンツデータＣＴＤにおける抽出指令信号ＥＸＣjにより指定された通過帯域に属する周波数の信号成分を選択的に通過させる。こうして、ＢＰＦ２１１jを通過した信号が、抽出信号ＥＸＤjとして、分配部２２０へ送られる（図７参照）。
【００６２】
また、コンテンツデータＣＴＤを受けた抽出部２１０では、ノイズゲート２１２が、抽出指令信号ＥＸＣNにより指定されたノイズ判断レベル以下の音に対応する信号のみを通過させる。こうしてノイズゲート２１２を通過した信号が、抽出信号ＥＸＤNとして、分配部２２０へ送られる（図７参照）。
【００６３】
抽出信号ＥＸＤ1〜ＥＸＤNを受けた分配部２２０では、個別分配部２２１k（ｋ＝１〜Ｎ）が、抽出信号ＥＸＤkをＬチャンネル及びＲチャンネルに分配する。この結果、Ｌチャンネル分配信号ＤＣＬk及びＲチャンネル分配信号ＤＣＲkが生成される（図８参照）。
【００６４】
ここで、Ｌチャンネル分配信号ＤＣＬkの生成に際して、個別分配部２２１kでは、まず、ＡＰＦ２２６Ｌが、抽出信号ＥＸＤkに対して、全ての周波数範囲の信号を通過させつつ、Ｌチャンネル用の位相変化を付与する。こうしてＡＰＦ２２６Ｌにより処理されて生成された信号は、Ｌチャンネル位相加工信号ＰＡＬkとして可変減衰部２２７Ｌへ送られる。
【００６５】
Ｌチャンネル位相加工信号ＰＡＬkを受けた可変減衰部２２７Ｌでは、Ｌチャンネル位相加工信号ＰＡＬkと、Ｌチャンネル分配率指定信号ＤＳＣkLにより指定された分配率との乗算を行う。この乗算結果が、Ｌチャンネル分配信号ＤＣＬkとして加算部２３０へ向けて出力される。
【００６６】
また、Ｒチャンネル分配信号ＤＣＲkの生成に際して、個別分配部２２１kでは、まず、ＡＰＦ２２６Ｒが、抽出信号ＥＸＤkに対して、全ての周波数範囲の信号を通過させつつ、Ｒチャンネル用の位相変化を付与する。こうしてＡＰＦ２２６Ｒにより処理されて生成された信号は、Ｒチャンネル位相加工信号ＰＡＲkとして可変減衰部２２７Ｒへ送られる。
【００６７】
Ｒチャンネル位相加工信号ＰＡＲkを受けた可変減衰部２２７Ｒでは、Ｒチャンネル位相加工信号ＰＡＲkと、Ｒチャンネル分配率指定信号ＤＳＣkRにより指定された分配率との乗算を行う。この乗算結果が、Ｒチャンネル分配信号ＤＣＲkとして加算部２３０へ向けて出力される。
【００６８】
以上のようにして分配部２２０で生成されたＬチャンネル分配信号ＤＣＬk（ｋ＝１〜Ｎ）は、加算部２３０におけるＬチャンネル加算部２３１Ｌにより加算される。この加算結果が、Ｌチャンネル処理データＰＣＤLとして、アナログ変換部１１２へ向けて送られる。
【００６９】
また、分配部２２０で生成されたＲチャンネル分配信号ＤＣＲk（ｋ＝１〜Ｎ）は、加算部２３０におけるＲチャンネル加算部２３１Ｒにより加算される。この加算結果が、Ｒチャンネル処理データＰＣＤRとして、アナログ変換部１１２へ向けて送られる。
【００７０】
この後、Ｌチャンネル処理データＰＣＤL及びＲチャンネル処理データＰＣＤRについて、アナログ変換部１１２においてアナログ信号に変換され、さらに、音量調整部１１３において音量調整が行われて、音声出力信号ＡＯＳL，ＡＯＳRが生成される。そして、音声出力信号ＡＯＳL，ＡＯＳRが音出力ユニット１３０L，１３０Rに供給される（図５参照）。
【００７１】
この結果、記憶ユニット１２０に記憶されている音声データ１２７の再生に際して、収録時の楽器等の位置関係を反映して音像形成が実現された音声が、スピーカ１３１L，１３１Rから出力される。こうした再生音声による音像位置と聴取者との位置関係の例が、図１０に示されている。
【００７２】
以上説明したように、本実施形態では、モノラル形式で収録された音声データ１２７について、まず、抽出部２１０が、楽曲情報１２６から生成された抽出参照情報１２２における周波数帯域に基づいて、楽器等の音声源ごとの音声成分を抽出する。引き続き、分配部２２０が、抽出参照情報１２２における設定音像位置に対応する位置に、抽出部２１０により抽出された音声成分の音像が形成されるように、ＬチャンネルとＲチャンネルとに当該音声成分を分配する。そして、加算部２３０が、Ｌチャンネルに分配された信号を加算するとともに、Ｒチャンネルに分配された信号を加算する。こうして生成されたＬチャンネル処理データＰＣＤL及びＲチャンネル処理データＰＣＤRに基づく音声が、音出力ユニット１３０L，１３０Rのスピーカ１３１L，１３１Rから再生出力される。
【００７３】
したがって、本実施形態によれば、音声コンテンツの収録時のチャンネル構成と異なる複数のチャンネル構成であっても、音声コンテンツの収録時における実際の音声に近付けた再生音声を生成することができる。
【００７４】
［実施形態の変形］
本発明は、上記の実施形態に限定されるものではなく、様々な変形が可能である。
【００７５】
例えば、上記の実施形態では、モノラル形式で収録された音声コンテンツを２チャンネルステレオ形式に変換して再生するようにした。これに対して、他のチャンネル構成間の変換を行う場合に、本発明を適用するようにしてもよい。
【００７６】
また、上記の実施形態では、音声源ごとの音声成分の抽出にＢＰＦを用いたが、ローパスフィルタ（ＬＰＦ）やハイパスフィルタ（ＨＰＦ）を併用することもできる。
【００７７】
また、上記の実施形態における楽曲情報の種類は例示あり、他の情報を併用することもできる。
【００７８】
また、上記の実施形態では、固定ディスク等の記憶ユニット１２０に音声コンテンツ情報が記憶されることにしたが、音声コンテンツがＣＤ（Compact Disk）やＤＶＤ（Digital Versatile Disk）等の可搬型記録媒体に記録されるようにすることもできる。
【００７９】
なお、上記の実施形態における制御ユニットを中央処理装置（ＣＰＵ：Central Processor Unit）やＤＳＰ（Digital Signal Processor）を備えるコンピュータシステムとして構成し、制御処理部等の機能を、プログラムの実行によっても実現するようにすることができる。これらのプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００８０】
【図１】本発明の一実施形態に係る音響装置の構成を概略的に示すブロック図である。
【図２】図１の音声コンテンツ情報の内容を説明するための図である。
【図３】図１の抽出参照情報の内容を説明するための図である。
【図４】図１の２個のスピーカの配置位置を説明するための図である。
【図５】図１の制御ユニットの構成を説明するためのブロック図である。
【図６】図５のチャンネル信号処理部の構成を説明するためのブロック図である。
【図７】図６の抽出部の構成を説明するためのブロック図である。
【図８】図６の分配部の構成を説明するためのブロック図である。
【図９】図８の個別分配部の構成を説明するためのブロック図である。
【図１０】図１の装置による音像位置と聴取者との位置関係の例を説明するための図である。
【符号の説明】
【００８１】
１００              …  音響装置
１３１L，１３１R     …  スピーカ
２１０              …  抽出部（抽出手段）
２２０              …  分配部（分配手段）
２３０              …  加算部（加算手段）
【図１】
2009171262.tif 000003
【図２】
2009171262.tif 000004
【図３】
2009171262.tif 000005
【図４】
2009171262.tif 000006
【図５】
2009171262.tif 000007
【図６】
2009171262.tif 000008
【図７】
2009171262.tif 000009
【図８】
2009171262.tif 000010
【図９】
2009171262.tif 000011
【図１０】
2009171262.tif 000012